【事件の表示】
　特願２００６−５２１８７７「Ｎ−アシルアミノ酸組成物を用いた哺乳類のケラチン組織の調整」拒絶査定不服審判事件〔平成１７年２月１０日国際公開、ＷＯ２００５／０１１６２７、平成１８年１２月２８日国内公表、特表２００６−５２８９３５〕について、次のとおり審決する。
【結　論】
　本件審判の請求は、成り立たない。
【理　由】
第１　手続の経緯
　本願は、平成１６年７月１５日（パリ条約による優先権主張外国庁受理２００３年７月２５日、米国（ＵＳ））を国際出願日とする出願であって、平成１９年７月３日付で拒絶理由が通知され、これに対し、同年１２月６日に手続補正がなされるとともに、同日に意見書が提出されたが、平成２０年７月２日付で拒絶査定がされ、これに対し、同年１０月９日に拒絶査定不服審判がされるとともに、同年１２月１８日に審判請求書の手続補正がなされたものである。
　
第２　本願発明
　本願の請求項１〜８に係る発明は、平成１９年１２月６日の手続補正により補正された特許請求の範囲の請求項１〜８に記載された事項により特定されるとおりのものと認められ、その請求項１に係る発明は以下のとおりのものである。
　
「【請求項１】
　スキンケア組成物であって、以下の：
　ａ）Ｎ−アシルフェニルアラニン、その異性体、その塩、その誘導体、又はその混合物からなる群から選択されるＮ−アシルフェニルアラニン化合物；
　ｂ）ビタミンＢ３、及びその誘導体、又はそれらの混合物からなる群から選択される、安全且つ有効な量のスキンケア活性物質；及び
　ｃ）皮膚科学的に許容可能なキャリア、を含むことを特徴とするスキンケア組成物。」（以下、「本願発明」という。）
　
第３　引用例の記載事項及び引用例記載の発明
１　原査定の拒絶の理由に引用された本願の優先日前である２００２年に頒布された「Ｒｅｓｅａｒｃｈ　Ｄｉｓｃｌｏｓｕｒｅ，２００２，Ｖｏｌ．４６２（Ｏｃｔ），ｐｐ１８０２−１８０３」（原査定の引用文献１５。以下、「引用例１」という。）には、次の事項が記載されている（仏文のため、翻訳文で記載する）。
　
（１ａ）「セピホワイトＭＳＨは、必須アミノ酸であるフェニルアラニンと、ウンデシレノイル酸との間のアシル化反応によって生じる化合物である。この脂肪族アミノ酸の両親媒性構造は、この化合物の皮膚への生物学的な親和性を優れたものにしている。
セピホワイトＭＳＨは、安定性があり、あらゆる種類の化粧品配合物に組み込むことができる。」（１８０２頁左欄１〜５行）
　
（１ｂ）「その使用は、アンチエイジングを追及するあらゆるタイプのケアで推奨されている。とりわけ光による老化を防ぐために、特に有効な日焼け止め効果を有する。」（１８０２頁左欄６〜８行）
　
（１ｃ）「また、セピホワイトＭＳＨは、過敏性反応、アレルギー反応、及び皮膚の免疫性反応にも作用するので、過敏肌向けの成分調製を行う場合にも、優れた成分として位置づけられる。セピホワイトは、血管新生メカニズムにも介在する。同様に、この成分は、より一般的には、刺激性、抗ラジカル性、抗酸化性、抗微生物性、ふけ防止、にきび防止、鎮静剤、神経伝達防止、サブスタンスＰ防止、アレルギー防止、痛みどめ、ストレス防止、アンチエイジング、しわ防止、引き締め促進、弾性促進、瘢痕形成促進、健康増進、筋力増強、やせ薬、静脈強化、排液作用、発赤防止、免疫抑制、強壮、再構成、又は保湿性の、あるいはまた、皮膚の色を改善し、もしくは細胞を刺激し、もしくはコラーゲン又はケラチン等の皮膚タンパク質の合成を促す、あらゆる化粧品調合物又は真皮薬品調合物で利用可能である。セピホワイトＭＳＨは、また、細胞間交換や真皮−表皮接合部の状態を改善する調合物でも同様に使用可能であり、あるいは、日焼け止め製品や、口紅、ファンデーションもしくはパウダー等のメーキャップ製品、あるいは、毛髪用のトリートメントもしくはカラーリング製品でも使用可能である。」（１８０２頁右欄８〜２２行）
　
（１ｄ）「一般に、この成分は、脂肪性物質、有機溶媒、増粘剤、ゲル化剤、柔軟剤、抗酸化剤、不透明化剤、安定剤、発泡剤、香水、イオン性又は非イオン性の乳化剤、添加剤、金属イオン封鎖剤、キレート剤、保存料、化学フィルタ又は鉱物フィルタ、エッセンシャルオイル、染色材料、親水性もしくは親脂肪性の成分を有する顔料、脂性小疱疹等の、化粧品調合物で使用されているあらゆるタイプの補助薬と組み合わせ可能であり、又は、化粧品分野で通常使用される他のあらゆるタイプの成分と組み合わせ可能である。
この脂肪アミノ酸は、その構造内に脂肪鎖が存在することにより、パラフィン、イソパラフィン、鉱物白油、植物性オイル、動物性オイル、合成オイル、シリコーンオイル、及びフッ素オイル等のオイルと組み合わせ可能である。」（１８０２頁右欄２３〜３３行）
　
（１ｅ）「相乗作用によりその特性の効果を高めるためにセピホワイトＭＳＨに組み合わせ可能な有効成分としては、ポリフェノール、ブドウの実のエキス、マツエキス、オリーブエキス、ブドウの搾りかすのエキス、Ｎ−アシル化タンパク質、Ｎ−アシル化タンパク質の加水分解生成物、アミノ酸、グリセリン又はブチレングリコール等のポリオール、尿素、ピロリドンカルボン酸、又は、このピロリドンカルボン酸の誘導体、グリシルレチン酸、アルファビサボロール、糖類又は糖類の誘導体、ポリサッカリド又はそれらの誘導体、ヒドロキシ酸、ビタミン類、ビタミン類の誘導体（たとえばＳＥＰＩＶＩＴＡＬ）、酵素、補酵素（たとえばコエンザイム　Ｑ１０）、ホルモン又は「ホルモン同等物（ｈｏｒｍｏｎｅ　ｌｉｋｅ）」、タンニンを多く含むエキス、淡水又は海水の海藻エキス等の植物性エキス、エッセンシャルワックス、細菌エキス、無機物、セラミド又はリン脂質等の脂質、ヒドロキノン、アルブチン、コウジ酸、抗微生物活性を有する成分（Ｌｉｐａｃｉｄｅ　Ｃ８Ｇ、Ｏｃｔｏｐｉｒｏｘ、Ｓｅｎｓｉｖａ　ＳＣ５０、Ｓｅｐｉｃｏｎｔｒｏｌ　Ａ５）、沈静剤成分（Ｓｅｐｉｃａｌｍ　Ｓ、Ｓｅｐｉｃａｌｍ　ＶＧ）、精神緊張亢進剤の特性を有する成分（たとえばＰＨＹＳＩＯＧＥＮＹＬ）、パンテノール及び誘導体（ＳＥＰＩＣＡＰ　ＭＰ等）を挙げることができる。」（１８０３頁左欄１１〜２５行）
　
２　原査定の拒絶の理由に引用された本願の優先日前である平成１４年６月１１日に頒布された「特開２００２−１６７３１９号公報」（原査定の引用文献２。以下、「引用例２」という。）には、次の事項が記載されている。
　
（２ａ）「【特許請求の範囲】
【請求項１】下記一般式（１）で表される、Ｎ−長鎖アシルアミノ酸塩を含有することを特徴とする美白化粧料。
【化１】
・・・
【請求項１０】ビタミン類を含有することを特徴とする請求項１〜９の何れか１項記載の美白化粧料。
【請求項１１】ビタミン類がビタミンＡまたはその誘導体、ビタミンＥまたはその誘導体、ビタミンＢまたはその誘導体、ビタミンＤまたはその誘導体からなる群より選ばれる１種以上である請求項１０記載の美白化粧料。」
　
（２ｂ）「【００１１】また、植物性不飽和脂肪酸残基を有するＮ−長鎖アシルアミノ酸塩は、動物性不飽和脂肪酸残基を有するＮ−長鎖アシルアミノ酸塩より貯蔵安定性（酸化安定性）が優れているので好ましい。本発明における、動物性不飽和脂肪酸とは、動物の脂肉その他の部分から採取された油脂を加水分解して得られる脂肪酸のうち、脂肪酸の炭化水素基に２重結合を１個以上有する脂肪酸のことを指す。また、植物性不飽和脂肪酸とは、植物の果実、種子などから採取される植物油脂を加水分解して得られる脂肪酸のうち、脂肪酸の炭化水素基に２重結合を１個以上有する脂肪酸のことを指す。不飽和脂肪酸残基となる、植物性不飽和脂肪酸の具体例としては、オレイン酸、リノール酸、リノレン酸、ヘキサデセン酸、エイコセン酸、ウンデシレン酸、リシノール酸、エルカ酸、エレオステアリン酸などが挙げられる。」
　
（２ｃ）「【００１８】これらの具体例中、グルタミン酸、およびアスパラギン酸が天然酸性アミノ酸であり、好ましい。中性アミノ酸の具体例としては、グリシン、サルコシン、α−アラニン、β−アラニン、Ｎ−メチル−β−アラニン、グルタミン、アスパラギン、イソロイシン、イプシロン−アミノカプロン酸、ガンマ−アミノ酪酸、グリシルグリシン、シスチン、システイン、セリン、チロジン、トリプトファン、トレオニン、バリン、フェニルアラニン、プロリン、ハイドロキシプロリン、メチオニン、ロイシン等が挙げられる。」
　
（２ｄ）「【００２０】本発明の美白化粧料に含有される、Ｎ−長鎖アシルアミノ酸塩は、従来の美白効果のある物質、たとえば、アルブチン、コウジ酸、エラグ酸、アスコルビン酸等と比較し安価であり、かつ、美白効果においても優っている。また、リノール酸、リノレン酸等の不飽和脂肪酸と比較し、酸化安定性に優れている。さらに、Ｎ−長鎖アシルアミノ酸塩は、界面活性剤としての乳化、分散、可溶化等の作用を有しているので、化粧料への配合量を高くすることもできる。また、浸透力が優れており、皮膚に塗ったとき、角質層から表皮への通過性に優れている。」
　
（２ｅ）「【００２３】・・・本発明の美白化粧料とは、外皮に適用される全ての化粧品、洗浄剤を含み、その形態も水溶液系、可溶化系（例えば化粧水など）、乳化系（例えば乳液、クリームなど）、粉末系、油液系、ゲル系、軟膏系、水−油２層系、水−油−粉末３層系等幅広い形態をとりうる。本発明の美白化粧料には、その効用を損なわない範囲において、通常、化粧料に用いられる任意の成分を配合することができる。
【００２４】例えば、
・・・
【００３２】ビタミンＡ及びその誘導体、ビタミンＢ６塩酸塩、ビタミンＢ６トリパルミテート、ビタミンＢ６ジオクタノエート、ビタミンＢ２及びその誘導体等のビタミンＢ類；アスコルビン酸、アスコルビン酸硫酸エステル、アスコルビン酸リン酸エステル等のビタミンＣ類；αトコフェロール、βトコフェロール、γトコフェロール等のビタミンＥ類、ビタミンＤ類、ビタミンＨ、パントテン酸等のビタミン類；ニコチン酸アミド、ニコチン酸ベンジル、γーオリザノール、アラントイン、グリチルリチン酸およびその誘導体、グリチルリチン酸塩およびその誘導体、グリチルレチン酸およびその誘導体、グリチルレチン酸塩およびその誘導体、ヒノキチオール、ムシジン、ビサボロール、ユーカリプトール、チモールイノシトール、サポニン類（キラヤサポニン、アズキサポニン、ヘチマサポニン等）トラネキサム酸、パントテルエチルエーテル、エチニルエストラジオール、セファランジン、プラセンタエキス、センブリエキス、セファランチン、ビタミンＥおよびその誘導体、ガンマーオリザノールなどの血行促進剤；」
　
３　原査定の拒絶の理由に引用された本願の優先日前である平成１４年１０月３日に頒布された「特開２００２−２８４６６２号公報」（原査定の引用文献１。以下、「引用例３」という。）には、次の事項が記載されている。
　
（３ａ）「【特許請求の範囲】
【請求項１】Ｎ−アセチルグルコサミンと、レチノイドとを含有することを特徴とする皮膚外用剤組成物。
【請求項２】レチノイドが、全トランスレチノール、１３−ｃｉｓレチノール、全トランスレチノイン酸および１３−シスレチノイン酸からなる群より選択される少なくとも一種以上のものである請求項１に記載の皮膚外用剤組成物。
【請求項３】請求項１に記載の外用剤を皮膚に施すことを特徴とする皺肌、乾燥肌、日焼け肌または老化肌の外観を予防または改善するための化粧方法。」
　
（３ｂ）「【０００１】
【発明の属する技術分野】本発明は、Ｎ−アセチルグルコサミンとレチノイドとを含有する皮膚外用剤組成物に関するものである。詳しくは、皮膚のハリや潤いを維持して皺、乾燥肌、日焼け肌、老化肌を予防または改善することのできる皮膚外用剤組成物に関する。」
　
（３ｃ）「【００２９】処方例１〜３（スキンクリーム）
Ｎ−アセチルグルコサミンおよびパルミチン酸レチニルを下記の組成でそれぞれを配合し、スキンクリームを調製した。すべて％である。
【００３０】
（１）組成
　　　　　　　　　　　　　　　　　　処方例１　処方例２　処方例３
（Ａ）
ステアリン酸　　　　　　　　　　　　　１　　　　１　　　　０
イソステアリン酸　　　　　　　　　　　０　　　　０　　　　１
モノステアリン酸グリセリン　　　　　　２　　　　２　　　　２
ベヘニルアルコール　　　　　　　　　　２　　　　２　　　　２
サラシミツロウ　　　　　　　　　　　　１　　　　１　　　　０
ミリスチン酸セチル　　　　　　　　　　１　　　　１　　　　１
セスキオレイン酸ソルビタン　　　　　　１　　　　１　　　　１
Ｎ−ステアロイルフィトスフィンゴシン　０．１　　０．１　　０．１
水素添加レシチン　　　　　　　　　　　０．１　　０．１　　０．１
植物スクワラン　　　　　　　　　　　　５　　　　５　　　　５
ミリスチン酸オクチルドデシル　　　　　５　　　　５　　　　５
パルミチン酸レチニル　　　　　　　　　０．０５　０．１　　０．１
（Ｂ）
Ｎ−アセチルグルコサミン　　　　　　　０．０１　０．１　　１．０
１，３−ブチレングリコール　　　　　　５　　　１０　　　　５
濃グリセリン　　　　　　　　　　　　　５　　　　５　　　　５
パラオキシ安息香酸メチル　　　　　　　０．２　　０．２　　０．２
アスコルビン酸燐酸エステルＮａ塩　　　０．２　　０．２　　０．２
γ−アミノ酪酸　　　　　　　　　　　　０．１　　０．１　　０．１
Ｎ−ステアロイルグルタミン酸Ｎａ塩　　０．２　　０．２　　０．２
アルキル変性カルボキシビニルポリマー　０．０５　０．０５　０．００５
ニコチン酸アミド　　　　　　　　　　　０．１　　０．１　　０．１
ザルコシン　　　　　　　　　　　　　　０．１　　０．１　　０．１
精製水　　　　　　　　　　　　　　　　残量　　　残量　　　残量
【００３１】（２）調製法
（Ａ）成分及び（Ｂ）成分を各々８０℃に加熱溶解した後混合して、攪拌しつつ冷却し、３０℃まで冷却して、スキンクリームを調製した。」
　
４　原査定の拒絶の理由に引用された本願の優先日前である平成１４年９月６日に頒布された「特開２００２−２４９４１４号公報」（原査定の引用文献１３。以下、「引用例４」という。）には、次の事項が記載されている。
　
（４ａ）「【特許請求の範囲】
・・・
【請求項１２】生理学的に許容される媒体中に、ビニルピロリドンとＣ１０−Ｃ４０アルケンとの少なくとも１のコポリマーを含む組成物の、脂性皮膚又は混合肌（ｃｏｍｂｉｎａｔｉｏｎ　ｓｋｉｎ）の美容処理のための使用。
【請求項１３】前記の組成物が、ビタミンＢ３及びビタミンＢ５；亜鉛の塩、特に酸化亜鉛及びグルコン酸亜鉛；サリチル酸及びその誘導体、例えば５−（ｎ−オクタノイル）サリチル酸；トリクロサン；カプリロイルグリシン；丁子抽出物；オクトピロクス；ヘキサミジン；並びにアゼライン酸及びその誘導体、より選択される少なくとも１の活性剤を更に含むことを特徴とする、請求項１２に記載の使用。」
　
（４ｂ）「【００４０】脂性の皮膚又は混合肌の美容処理において使用する場合には、本発明の組成物は好ましくは、ビタミンＢ３及びＢ５；亜鉛の塩、特には酸化亜鉛や、グルコン酸亜鉛；サリチル酸及びその誘導体、例えば５−（ｎ−オクタノイル）−サリチル酸；トリクロサン；カプリロイルグリシン；丁子抽出物；オクトピロックス（ｏｃｔｏｐｉｒｏｘ）；ヘキサミジン；及びアゼライン酸及びその誘導体より選択される少なくとも１の活性剤を含むであろう。」
　
５　上記（１ａ）によれば、引用例１には、
「セピホワイトＭＳＨを組み込んだ化粧品配合物。」の発明（以下、「引用発明」という。）が記載されていると認められる。
　
第４　対比
　そこで、本願発明と引用発明とを対比する。
　
　引用発明の「セピホワイトＭＳＨ」は、「必須アミノ酸であるフェニルアラニンと、ウンデシレノイル酸との間のアシル化反応によって生じる化合物」と記載されている。
　そして、本願明細書の段落【００３０】には、「本明細書で使用する時、Ｎ−ウンデシレノイル−Ｌ−フェニルアラニンは、セピック（ＳＥＰＰＩＣ）からセピホワイト（Ｓｅｐｉｗｈｉｔｅ）（登録商標）の名称で市販されているものである。」と説明されている。
　そうしてみると、引用発明の「セピホワイトＭＳＨ」は、フェニルアラニンのＮ−アシル化生成物と解されるから、本願発明の「Ｎ−アシルフェニルアラニン化合物」に相当する。
　
　引用発明の「化粧品配合物」は、セピホワイトＭＳＨを化粧品に配合したものであり組成物といえるから、本願発明の「スキンケア組成物」と、「化粧品組成物」である点で共通する。　
　
　したがって、両者は、
「化粧品組成物であって、Ｎ−アシルフェニルアラニン化合物を含む化粧品組成物。」
の点で一致し、以下の点で相違している。
　
相違点１：「化粧品組成物」は、本願発明では、「スキンケア組成物」に特定されているのに対し、引用発明ではそのように特定されていない点。
　
相違点２：本願発明では、さらに「ビタミンＢ３、及びその誘導体、又はそれらの混合物からなる群から選択される、安全且つ有効な量のスキンケア活性物質」及び「皮膚科学的に許容可能なキャリア」を含むのに対し、引用発明では他の配合物が特定されていない点。
　
第５　判断
　そこで、上記相違点について検討する。
　
１　相違点１について
　引用例１には、「この脂肪族アミノ酸の両親媒性構造は、この化合物の皮膚への生物学的な親和性を優れたものにしている。」（上記（１ａ））、「また、セピホワイトＭＳＨは、過敏性反応、アレルギー反応、及び皮膚の免疫性反応にも作用するので、過敏肌向けの成分調製を行う場合にも、優れた成分として位置づけられる。」（上記（１ｃ））のように皮膚へ適用した場合について着目して記載されていることから、引用発明の化粧品組成物をスキンケア組成物とすることは、当業者が容易になし得たことである。
　
２　相違点２について
（１）「皮膚科学的に許容可能なキャリア」について
　本願発明の「皮膚科学的に許容可能なキャリア」について、本願明細書には、「キャリアがケラチン組織への局所的な適用に好適であり、良好な審美的特性を有し、本発明の活性物質及び他のいずれの構成成分とも適合性があり、安全性又は毒性についていずれの問題も起こさないことを意味する」（段落【００５８】）、「キャリアは、多種多様な形態をとることができる。例えば、本明細書においては、水中油型、油中水型、水中油中水型、及びシリコーン中水中油型エマルションなどが挙げられるがこれらに限定されないエマルションキャリアが有用である。」（段落【００５９】）と説明されており、その一例として、「ｅ．非極性で揮発性の油　非極性で揮発性の油は、本発明の組成物に極めて望ましい審美的特性を付与する傾向にある。したがって、非極性で揮発性の油は、好ましくはかなり高いレベルで利用される。本発明で特に有用な非極性で揮発性の油は、シリコーン油、炭化水素、及びそれらの混合物である。このような非極性で揮発性の油は、例えば、バルサム（Ｂａｌｓａｍ）及びサガリン（Ｓａｇａｒｉｎ）編「化粧品、科学、及び技術（Ｃｏｓｍｅｔｉｃｓ，Ｓｃｉｅｎｃｅ，ａｎｄ　Ｔｅｃｈｎｏｌｏｇｙ）」、第１巻、２７〜１０４頁（１９７２年）に開示されている。好ましい非極性で揮発性の炭化水素の例としては、イソドデカン及びイソデカン（例えば、プレスパース（Ｐｒｅｓｐｅｒｓｅ　Ｉｎｃ．）から入手可能なペルメチル（Ｐｅｒｍｅｔｈｙｌ）−９９Ａ）などのポリデカン類、及びＣ７〜Ｃ８からＣ１２〜Ｃ１５までのイソパラフィン類（例えば、エクソン・ケミカルズ（Ｅｘｘｏｎ　Ｃｈｅｍｉｃａｌｓ）から入手可能なアイソパー（Ｉｓｏｐａｒ）シリーズ）が挙げられる。」ともある（段落【００８３】）。
　一方、引用例１には、「化粧品調合物で使用されているあらゆるタイプの補助薬と組み合わせ可能であり、又は、化粧品分野で通常使用される他のあらゆるタイプの成分と組み合わせ可能である。この脂肪族アミノ酸は、その構造内に脂肪鎖が存在することにより、パラフィン、イソパラフィン、鉱物白油、植物性オイル、動物性オイル、合成オイル、シリコーンオイル、及びフッ素オイル等のオイルと組み合わせ可能である。」（上記（１ｄ））と記載されている。
　そうしてみると、前記「パラフィン、イソパラフィン、鉱物白油、植物性オイル、動物性オイル、合成オイル、シリコーンオイル、およびフッ素オイル等のオイル」は化粧品に配合するものであるから、安全性又は毒性で問題のないものであることは自明であり、本願発明の「皮膚科学的に許容可能なキャリア」に相当するといえ、引用発明において、これをさらに化粧品配合物に組み込むことは当業者が容易になし得たことである。
　
（２）「ビタミンＢ３、及びその誘導体、又はそれらの混合物からなる群から選択される、安全且つ有効な量のスキンケア活性物質」について
　引用例１には、「化粧品調合物で使用されているあらゆるタイプの補助薬と組み合わせ可能であり、又は、化粧品分野で通常使用される他のあらゆるタイプの成分と組み合わせ可能である。」（上記（１ｄ））と記載されており、「セピホワイトＭＳＨに組み合わせ可能な有効成分としては、・・・ビタミン類、ビタミン類の誘導体（たとえばＳＥＰＩＶＩＴＡＬ）・・・を挙げることができる。」（上記（１ｅ））ことも示されている。
　また、引用例１には、「その使用は、アンチエイジングを追及するあらゆるタイプのケアで推奨されている。とりわけ光による老化を防ぐために、特に有効な日焼け止め効果を有する。」（上記（１ｂ））、「セピホワイトＭＳＨは、また、細胞間交換や真皮−表皮接合部の状態を改善する調合物でも同様に使用可能であり、あるいは、日焼け止め製品や、口紅、ファンデーションもしくはパウダー等のメーキャップ製品、あるいは、毛髪用のトリートメントもしくはカラーリング製品でも使用可能である。」（上記（１ｃ））とあるように、引用発明の化粧品配合物は、一般に皮膚に適用する日焼け止め製品などとできるものである。
　
　引用例２には、「ビタミンＡまたはその誘導体、ビタミンＥまたはその誘導体、ビタミンＢまたはその誘導体、ビタミンＤまたはその誘導体からなる群より選ばれる１種以上であるビタミン類を含有するＮ−長鎖アシルアミノ酸塩を含有することを特徴とする美白化粧料。」（上記（２ａ））が記載されている。
　そして、前記「Ｎ−長鎖アシルアミノ酸塩」について、「不飽和脂肪酸残基となる、植物性不飽和脂肪酸の具体例としては、・・・ウンデシレン酸、・・・などが挙げられる。」（上記（２ｂ））、「中性アミノ酸の具体例としては、・・・フェニルアラニン・・・等が挙げられる。」（上記（２ｃ））と説明されているように、引用発明のセピホワイトＭＳＨを含むものである。
　また、「本発明の美白化粧料には、その効用を損なわない範囲において、通常、化粧料に用いられる任意の成分を配合することができる。例えば、・・・ニコチン酸アミド、・・・などの血行促進剤」（上記（２ｅ））と記載されており、ニコチン酸アミドはビタミンＢ３と同義である。
　すなわち、引用例２には、引用発明のセピホワイトＭＳＨを含むようなＮ−長鎖アシルアミノ酸塩を含有する美白化粧料に、血行促進剤としてビタミンＢ３を配合できることが記載されている。
　
　引用例３には、Ｎ−アセチルグルコサミンと、レチノイドとを含有する皮膚外用剤組成物（上記（３ａ））が記載されており、「皮膚のハリや潤いを維持して皺、乾燥肌、日焼け肌、老化肌を予防または改善することのできる皮膚外用剤組成物」（上記（３ｂ））であることが記載されている。
　そして、Ｎ−アセチルグルコサミン及びパルミチン酸レチニルを配合したスキンクリームの処方例には、さらにＮ−ステアロイルグルタミン酸Ｎａ塩（Ｎ−アシルアミノ酸である）、ニコチン酸アミド（ビタミンＢ３）を配合したことが示されている（上記（３ｃ））。
　引用例４にも、生理学的に許容される媒体中に、ビタミンＢ３を含む群より選択される少なくとも１の活性剤を更に含む、ビニルピロリドンとＣ１０−Ｃ４０アルケンとの少なくとも１のコポリマーを含む、脂性皮膚又は混合肌の美容処理用組成物（上記（４ａ）、（４ｂ））が記載されている。
　
　以上のように、美白用、日焼け肌用、肌の美容処理などに用いる化粧品組成物において、Ｎ−アシルアミノ酸と併用するなどして、血行促進剤として公知のビタミンＢ３を配合することは、本願出願前から行われていたことといえる。
　そうしてみると、引用発明において、セピホワイトＭＳＨに組み合わせ可能な有効成分として例示されているものから、ビタミン類、ビタミン類の誘導体である血行促進剤として公知のビタミンＢ３を採用し、安全且つ有効な量で配合することは、当業者が容易になし得たことであり、血行促進剤がスキンケアにおける活性物質であることは、当業者に自明なことである。
　
３　本願発明の効果について
　本願発明の効果について、本願明細書段落【０００６】に、「例えば、本出願人らは、このような組成物は、美白用又は色素沈着減少用の化粧品として作用することによって、皮膚の色合いが不均一になるのを防止、遅延、及び／又は処置する、目の下のクマ、腫れぼったい目、たるみ、血色の悪さ、並びにクモ状血管及び／又は皮膚の染みを防止、遅延、及び／又は処置する、皮膚の落屑、剥離、及び／又は代謝回転を促進する、毛穴の大きさの外観を調整及び／又は低減する、日焼けを防止／遅延する、脂っぽい／てかてかした外観を調整する、哺乳類の皮膚における過度の色素沈着（例えば、炎症後の過度の色素沈着、加齢斑などの色素斑など）を防止、遅延、及び／又は処置する、皮膚の乾燥を防止、遅延、及び／又は処置する、微細な線及びしわを防止、遅延、及び／又は処置する、哺乳類の皮膚の萎縮を防止、遅延、及び／又は処置する、及び／又は哺乳類の口唇、毛髪及び爪を軟化させる及び／又は滑らかにするために有用であり得ることを見出した。」と記載されており、さらに段落【０１４８】〜【０１４９】に「（ケラチン組織状態の調整方法）」として、同様なことが説明されている。
　しかしながら、実施例にはスキンクリーム／ローションなどを調製したことが示されているものの具体的な効果は示されていない。
　
　一方、引用例１には、「セピホワイトは、血管新生メカニズムにも介在する。同様に、この成分は、より一般的には、刺激性、抗ラジカル性、抗酸化性、抗微生物性、ふけ防止、にきび防止、鎮静剤、神経伝達防止、サブスタンスＰ防止、アレルギー防止、痛みどめ、ストレス防止、アンチエイジング、しわ防止、引き締め促進、弾性促進、瘢痕形成促進、健康増進、筋力増強、やせ薬、静脈強化、排液作用、発赤防止、免疫抑制、強壮、再構成、又は保湿性の、あるいはまた、皮膚の色を改善し、もしくは細胞を刺激し、もしくはコラーゲン又はケラチン等の皮膚タンパク質の合成を促す、あらゆる化粧品調合物又は真皮薬品調合物で利用可能である。」（上記（１ｃ））と記載されており、「相乗作用によりその特性の効果を高めるためにセピホワイトＭＳＨに組み合わせ可能な有効成分として」（上記（１ｅ））、ビタミン類などを配合することが示されている。
　そうしてみると、引用発明においても、セピホワイトＭＳＨとビタミン類などを配合することにより、スキンケア組成物とした際に、上記のようなアンチエイジング、しわ防止、皮膚の色を改善するなどの、本願明細書記載の効果と同様な効果を奏することは、当業者が予測し得たことである。
　
４　その他
　審判請求人は、『「Ｎ−アシル−フェニルアラニン化合物と、ビタミンＢ３化合物との組合せ」によって、ビタミンＢ３化合物の吸収を顕著に増加させるという相乗効果を有するものである。この相乗効果については、添付資料１および２に記載されて実験データによってサポートされている。』（請求の理由６））と主張しているのでその点についても補足して検討する。
　引用例１に、「この脂肪族アミノ酸の両親媒性構造は、この化合物の皮膚への生物学的な親和性を優れたものにしている。」（上記（１ａ））、「相乗作用によりその特性の効果を高めるためにセピホワイトＭＳＨに組み合わせ可能な有効成分としては」（上記（１ｅ））とある。
　また、引用例２にも、Ｎ−長鎖アシルアミノ酸塩について、「浸透力が優れており、皮膚に塗ったとき、角質層から表皮への通過性に優れている。」（上記（２ｄ））と記載されている。
　これらのことから、引用発明においても、セピホワイトＭＳＨとビタミンＢ３とを組み合わせることにより、ビタミンＢ３の吸収を増加させるという相乗効果を奏するであろうことは当業者が予測し得たことである。
　
第６　むすび
　以上のとおり、本願発明は、引用例１〜４に記載された発明に基づいて、当業者が容易に発明をすることができたものであるから、特許法第２９条２項の規定により特許を受けることができない。
　したがって、その他の請求項に係る発明についての判断を示すまでもなく、本願は拒絶すべきものである。
　よって、結論のとおり審決する。